(57)【要約】      （修正有）【課題】ネイル体の変形、歪み、斜めになる等の施工不良の発生を防止することができるハンマーネイル構造を提供する。【解決手段】ハンマーネイル構造は石膏ボード、ファイバーボードの壁体に打ち込まれるハンマーネイルに適用される。ネイル体２０は第一片体２１と第二片体２２とが半分に折り畳まれ組成される。ネイル体２０は打撃部、上導入スリーブ、下導入スリーブ、ネジヤマ導入セクション及び先端部を有する。これにより石膏ボード、ファイバーボード壁体に打ち込んで設置され、物品を掛けて設置できる。【選択図】図２
0003209554.tif 000002
【実用新案登録請求の範囲】
【請求項１】
ハンマーネイル構造であって、第一片体と第二片体とを半分に折り畳んで組成するネイル体で、前記ネイル体は、打撃部、上導入スリーブ、下導入スリーブ、ネジヤマ導入セクション及び先端部を有し、
前記打撃部は、前記ネイル体の上縁に位置し、第一片体及び第二片体の上段ナット部が、外へと折り返り形成され、その中央には、ボルト導入孔を設置し、
前記上導入スリーブは、前記打撃部のボルト導入孔より、下方へと延伸する孔壁により形成され、ボルトの導入に供し、
前記下導入スリーブは、逆錐形管壁により構成され、前記上導入スリーブの下方に位置し、
前記ネジヤマ導入セクションは、前記上導入スリーブと下導入スリーブとの間に位置し、しかも前記ボルトのネジヤマの進行ルート径とネジ距離の規格に応じて、前記第一片体と第二片体の相対位置に、少なくとも１個以上のネジヤマ保護カバーを設置し、これにより前記ボルト螺入の螺合導引と位置制限に供し、
前記先端部は、前記ネイル体の下段に位置し、第一片体及び第二片体下段の尖Ｖ部が半分に折り畳まれて形成され、
前記第一片体の尖Ｖ部の面積及び長さは、第二片体の尖Ｖ部よりやや大きく、しかも前記第一片体の尖Ｖ部には、内凹エリアを設置し、これにより前記第二片体の尖Ｖ部は収容されて密着することを特徴とするハンマーネイル構造。
【請求項２】
前記上導入スリーブと下導入スリーブは、同一中心線上に保持されることを特徴とする請求項１に記載のハンマーネイル構造。
【請求項３】
前記第一片体の尖Ｖ部両側縁は、鋸歯状を呈することを特徴とする請求項１に記載のハンマーネイル構造。
【請求項４】
前記第一片体及び第二片体の尖Ｖ部には、相互に対応する少なくとも１個の縦方向補強リブをそれぞれ設置することを特徴とする請求項１に記載のハンマーネイル構造。
【請求項５】
前記先端部と下導入スリーブの間のエリアには、第一片体及び第二片体に沿って、湾折して半分に折り畳まれる少なくとも１個以上の横棒リブにより構成される横リブ作用区を設置することを特徴とする請求項１に記載のハンマーネイル構造。
【考案の詳細な説明】
【技術分野】
【０００１】
本考案はハンマーネイル構造に関し、特に石膏ボード、ファイバーボードの壁体に打ち付けて設置し、これにより物品を掛けることができるハンマーネイル構造に関する。
【背景技術】
【０００２】
石膏ボード或いはファイバーボード壁体に適用する従来のハンマーネイルは、特許文献１に開示する。
同構造は、第一片体１１及び第二片体１２が折り畳まれて組成するハンマーネイル１（図１参照）である。
工具を利用し、ハンマーネイル１の打撃部１３を打ち、先端部１４を石膏ボード或いはファイバーボード壁体に打ち込む。
さらに、ボルトを螺入することで、第一、二片体１１、１２を開かせ、ハンマーネイル１を壁体Ｗに固定し、ボルトに物品を掛けて使用することができる。
【０００３】
従来のハンマーネイルは、石膏ボード或いはファイバーボードの壁体に打ち込むことはできるが、使用においては以下の欠点が存在する。
１.ハンマーネイル１の先端部１４は、第一片体１１の第一釘尖端１１１及び第二片体１２の第二釘尖端１２１を対応させて構成し、しかも第一釘尖端１１１の方が長い。そのため、ハンマーネイル１が工具の打撃を受けると、第一釘尖端１１１は先に壁体Ｗを貫通し、第二釘尖端１２１が壁体Ｗに接触して貫通する瞬間に、もともとあった第一片体１１の断面に、第二片体１２の断面が瞬間的に加わるため、貫通の抵抗力が瞬間的に大きくなり、ハンマーネイル１の強度不足により、壁体Ｗに刺さる前に変形或いは分岐が生じ、施工の品質に影響を及ぼし、壁体Ｗの破裂を招く恐れもある。
２.ハンマーネイル１は先端部１４から打撃部１３までの縦の長さが長いため、第一、二片体１１、１２中に軽微な偏移が生じると、ボルトを進入させる構造がないことで、ボルトの旋入が歪み、斜めになる状況がしばしば発生する。
【先行技術文献】
【特許文献】
【０００４】
【特許文献１】フランス実用新案第０１２４２０号号明細書
【考案の概要】
【考案が解決しようとする課題】
【０００５】
前記先行技術には、壁体に刺さる前に変形或いは分岐が生じ、施工の品質に影響を及ぼし、壁体Ｗの破裂を招く恐れがあり、さらにボルトの旋入が歪み、斜めになる状況がしばしば発生する欠点がある。
【課題を解決するための手段】
【０００６】
本考案はハンマーネイル構造に関する。
【０００７】
本考案によるハンマーネイル構造は、第一片体と第二片体とを半分に折り畳んで組成するネイル体である。
該ネイル体は、打撃部、上導入スリーブ、下導入スリーブ、ネジヤマ導入セクション及び先端部を有する。
これにより、使用者は、石膏ボード、ファイバーボード壁体にハンマーネイルを打ち付けて設置し、物品を掛けることができる。
【０００８】
本考案によるハンマーネイル構造において、該上導入スリーブと下導入スリーブは、同一中心線上に保持される。
【０００９】
本考案によるハンマーネイル構造において、該先端部の第二片体の尖Ｖ部は、該第一片体の尖Ｖ部よりやや小さく、これにより該第二片体の尖Ｖ部は、該第一片体の尖Ｖ部の内凹エリアに収容されて密着し、壁体を貫通する断面を縮小する。
【００１０】
本考案によるハンマーネイル構造において、該第一片体の尖Ｖ部両側縁は、鋸歯状を呈する。
【００１１】
本考案によるハンマーネイル構造において、該第一片体及び第二片体の尖Ｖ部中には、相互に対応する縦方向補強リブをそれぞれ設置する。
【００１２】
本考案によるハンマーネイル構造において、該先端部と下導入スリーブとの間のエリアには、第一片体及び第二片体に沿って、屈折し半分に折り畳まれる少なくとも１個以上の横棒リブにより構成される横リブ作用区を設置する。該各横棒リブの間隔距離とボルトのネジ距離とは相互に対応し、ボルトによる貫通の導引及び先端部拡張時の膨脹量拡大に用いる。
【考案の効果】
【００１３】
本考案は従来のハンマーネイル構造の欠点を解決でき、ネイル体の変形、歪み、斜めになる等の施工不良の発生を防止することができる。
【図面の簡単な説明】
【００１４】
【図１】従来のハンマーネイルの壁体貫通時の断面模式図である。
【図２】本考案ネイル体の平面展開模式図である。
【図３】本考案ネイル体の立体展開模式図である。
【図４】本考案ネイル体を半分に折り畳んだ様子を示す立体模式図である。
【図５】本考案の立体分解模式図である。
【図６】本考案を壁体に打ち入れる様子を示す模式図である。
【図７】本考案の先端部の局部断面模式図である。
【図８】図６のＩ-Ｉでカットした断面模式図である。
【図９】図６のＩＩ-ＩＩでカットした断面模式図である。
【図１０】本考案を壁体に打ち入れる模式図一である。
【図１１】本考案を壁体に打ち入れる模式図二である。
【考案を実施するための形態】
【００１５】
［実施例１］
本考案によるハンマーネイル構造は、図２、３、４、５に示す通り、ハンマーネイル２のネイル体２０は、第一片体２１と第二片体２２を、折り畳み線２０１に沿って半分に折り畳み組成する。ネイル体２０は、打撃部２Ａ、上導入スリーブ２Ｂ、下導入スリーブ２Ｃ、ネジヤマ導入セクション２Ｄ、先端部２Ｅを有する。打撃部２Ａは、ネイル体２０の上縁に位置し、第一片体２１及び第二片体２２の上段ナット部２１１、２２１が、外へと折り返り形成され、その中央には、ボルト導入孔Ａを設置する。上導入スリーブ２Ｂは、打撃部２Ａのボルト導入孔Ａより、下方へと延伸する孔壁２１２、２２２により形成され、ボルト３の導入に供する。下導入スリーブ２Ｃは、逆錐形管壁２１３、２２３により構成され、該上導入スリーブ２Ｂの下方に位置する。ネジヤマ導入セクション２Ｄは、上導入スリーブ２Ｂと下導入スリーブ２Ｃとの間に位置し、しかもボルト３のネジヤマ３１の進行ルート径とネジ距離の規格に応じて、第一片体２１と第二片体２２の相対位置に、少なくとも１個以上のネジヤマ保護カバー２１４、２２４を設置し、これにより該ボルト３螺入の螺合導引と位置制限に供する。先端部２Ｅは、ネイル体２０の下段に位置し、第一片体２１及び第二片体２２下段の尖Ｖ部２１５、２２５が半分に折り畳まれて形成される。
第一片体２１の尖Ｖ部２１５の面積及び長さは、第二片体２２の尖Ｖ部２２５よりやや大きく、しかも第一片体２１の尖Ｖ部２１５には、内凹エリア２１５１を設置し、これにより第二片体２２の尖Ｖ部２２５は収容されて密着する。
【００１６】
ハンマーネイル構造の第一、二片体２１、２２の尖Ｖ部２１５、２２５には、相互に対応する少なくとも１個の縦方向補強リブ２１６、２２６を設置し、しかも第一片体２１の尖Ｖ部２１５両側縁は、鋸歯状２１５２を呈する。
【００１７】
ハンマーネイル構造の先端部２Ｅと下導入スリーブ２Ｃとの間のエリアには、第一片体２１及び第二片体２２に沿って、屈折し半分に折り畳まれる少なくとも１個以上の横棒リブ２１７、２２７により構成される横リブ作用区２Ｆを設置する。各横棒リブの間隔距離とボルト３のネジ距離とは相互に対応し、ボルト３貫通の導引及び先端部２Ｅ拡張時の膨脹量拡大に用いる。
【００１８】
ハンマーネイル構造は、第一片体２１の外側縁に、少なくとも１個の嵌合片２１８を設置し、これにより該第二片体２２を半分に折り畳む時には、該第二片体２２の外側縁相対位置の欠口２２８に湾曲して挿入される。これにより、第一片体２１と第二片体２２は密着して離れない。
【００１９】
ハンマーネイル構造において、第一片体２１と第二片体２２上近辺側位置には、少なくとも１個以上の縦方向補強リブ２１９、２２９を設置し、これによりネイル体２０の強度を強化する。
【００２０】
施工時（図６〜図１１参照）には、先ず本考案のネイル体２０の先端部２Ｅを、石膏ボード或いはファイバーボード壁体４上の打ち込みたいと思う位置に合わせる。次に、工具でネイル体２０の打撃部２Ａを打つ。第二片体２２の尖Ｖ部２２５は、第一片体２１の内凹エリア２１５１に収容され密着しているため、相互間の密着を増強できるばかりか、貫通断面は、第一片体２１の尖Ｖ部２１５の断面のみを残す（図７、８、９参照）。こうして、断面貫通の抵抗力を効果的に低下させることができる。さらに、尖Ｖ部２１５、２２５の縦方向補強リブ２１６、２１９、２２６、２２９は、ネイル体２０強度を強化できるため、打たれて変形し施工不良の発生を防止できる。しかも先端部２Ｅが石膏ボード或いはファイバーボード壁体４に没入し、ボルト３を対応させて、ハンマーネイル２をボルト導入孔Ａに螺入すると、上導入スリーブ２Ｂ、ネジヤマ導入セクション２Ｄの導引に沿って、下導入スリーブ２Ｃに進入する。上導入スリーブ２Ｂ及び下導入スリーブ２Ｃ間は、同一中心線上に保持されるため、ネジヤマ導入セクション２Ｄのネジヤマ保護カバー２１４、２２４とボルト３のネジヤマ３１の螺合導引及び位置制限により、偏りや斜めになる状況は発生しない。よって、ボルト３の釘尖３１１を、下導入スリーブ２Ｃに入れ、ボルト３を回して下方へと負荷をかけると、逆錐形管壁２１３、２２３以下の横リブ作用区２Ｆは圧迫され、より強い貫通導引圧迫を受け、新しい圧迫点を形成する。こうして、先端部２Ｅの外へと拡張する量を拡大し（図１０、１１参照）、先端部２Ｅは十分に完全に開き、ネイル体２０は壁体４に固定して設置され、これによりボルト３に物品を掛ける際の堅固性を提供できる。
【符号の説明】
【００２１】
１  ハンマーネイル、
１１  第一片体
１２  第二片体
１３  打撃部
１４  先端部
２  ハンマーネイル
２０  ネイル体
２０１  折り畳み線
２１  第一片体
２２  第二片体
２１１、２２１  ナット部
２１２、２２２  孔壁
２１３、２２３  逆錐形管壁
２１４、２２４  ネジヤマ保護カバー
２１５、２２５  尖Ｖ部
２１６、２１９、２２６、２２９  縦方向補強リブ
２１５１  内凹エリア
２１５２  鋸歯状
２Ａ  打撃部
２１７、２２７  横棒リブ
２１８  嵌合片
２２８  欠口
Ａ  ボルト導入孔
２Ｂ  上導入スリーブ
２Ｃ  下導入スリーブ
２Ｄ  ネジヤマ導入セクション
２Ｅ  先端部
２Ｆ  横リブ作用区
３  ボルト
３１  ネジヤマ
３１１  釘尖
Ｗ  壁体
【図１】
0003209554.tif 000003
【図２】
0003209554.tif 000004
【図３】
0003209554.tif 000005
【図４】
0003209554.tif 000006
【図５】
0003209554.tif 000007
【図６】
0003209554.tif 000008
【図７】
0003209554.tif 000009
【図８】
0003209554.tif 000010
【図９】
0003209554.tif 000011
【図１０】
0003209554.tif 000012
【図１１】
0003209554.tif 000013